(57)【要約】本発明は、ＦＣＳ方式を使用してＮｏｄｅ Ｂと通信を遂行しているＵＥがハンドオーバー領域で逆方向伝送電力を制御する方法を開示する。ＵＥは、現在のベストセルと通信を遂行する間、ＵＥがハンドオーバー領域に進入すると、活性集合内の複数のセルから所定区間の間受信されるＴＰＣ命令を貯蔵する。新たなベストセルが複数のセルから選択される場合、ＵＥは、ベストセルが現在のベストセルから新たなベストセルへ変更される時点で、所定な期間の間、現在のベストセルからのＴＰＣ命令を新たなベストセルからのＴＰＣ命令と比較することによって伝送電力オフセットを決定する。そうすると、伝送電力オフセットを考慮した伝送電力レベルで新たなベストセルに対する初期伝送電力を伝送する。
2004518332.tif 000002
【特許請求の範囲】
【請求項１】
高速セル選択（Ｆａｓｔ Ｃｅｌｌ Ｓｅｌｅｃｔｉｏｎ；ＦＣＳ）方式を使用してＮｏｄｅ Ｂと通信を遂行しているＵＥ（Ｕｓｅｒ Ｅｑｕｉｐｍｅｎｔ）がハンドオーバー領域で逆方向伝送電力を制御する方法において、
現在のベストセルと通信を遂行する間、前記ＵＥがハンドオーバー領域に進入すると、活性集合内の複数のセルから所定区間の間受信される伝送電力制御（Ｔｒａｎｓｍｉｓｓｉｏｎ Ｐｏｗｅｒ Ｃｏｎｔｒｏｌ；ＴＰＣ）命令を貯蔵するステップと、
前記次のベストセルが前記複数のセルから選択される場合、前記ベストセルが前記現在のベストセルから前記次のベストセルへ変更される時点で、所定な期間の間、前記現在のベストセルからのＴＰＣ命令を前記次のベストセルからのＴＰＣ命令と比較することによって伝送電力オフセットを決定するステップと、
前記伝送電力オフセットを考慮した伝送電力レベルで前記次のベストセルに対する初期伝送電力を伝送するステップと
を含むことを特徴とする方法。
【請求項２】
前記伝送電力オフセットは、前記ベストセルが変更される時点から前記ＴＰＣ命令が電力減少命令を示すタイムスロットの次のタイムスロットまでの区間の間は、下記式によって計算されることを特徴とする請求項１記載の方法。
【数１】
2004518332.tif 000006
ここで、前記Ｐｏｆｆｓｅｔは前記伝送電力オフセットを示し、前記ｄｕｒａｔｉｏｎ１は前記所定な区間を示し、前記ＵＥｄｏｗｎは、前記所定の区間の間、前記現在のベストセルが伝送したＴＰＣ命令のうち電力減少命令の回数を示す。
【請求項３】
前記所定の区間は、前記ベストセルが前記現在のベストセルから前記次のベストセルへ変更される時点で、前記次のベストセルの予め設定した個数のタイムスロットまでの区間であることを特徴とする請求項１記載の方法。
【請求項４】
前記伝送電力オフセットは、下記式によって計算されることを特徴とする請求項１記載の方法。
【数２】
2004518332.tif 000007
ここで、Ｐｏｆｆｓｅｔは前記伝送電力オフセットを示し、ｄｕｒａｔｉｏｎ２は前記所定の区間を示し、ＵＴＲＡＮｕｐは、前記次のベストセルから前記ＵＥへ伝送したＴＰＣ命令のうち電力増加命令の個数を示し、ＵＴＲＡＮｄｏｗｎは、前記次のベストセルから前記ＵＥへ伝送したＴＰＣ命令のうち電力減少命令の個数を示し、ＵＥｕｐは、前記現在のベストセルから伝送したＴＰＣ命令のうち電力増加命令の個数を示し、ＵＥｄｏｗｎは、前記現在のベストセルから伝送したＴＰＣ命令のうち電力減少命令の個数を示す。
【請求項５】
前記伝送電力オフセットは、前記ベストセルが変更された時点以前の１個のタイムスロットで伝送したＴＰＣ命令が電力減少命令である場合‘０’に設定され、前記ベストセルが変更された時点以前の１個のタイムスロットで伝送したＴＰＣ命令が電力増加命令である場合設定値に設定されることを特徴とする請求項１記載の方法。
【請求項６】
高速セル選択（Ｆａｓｔ Ｃｅｌｌ Ｓｅｌｅｃｔｉｏｎ；ＦＣＳ）方式を使用してＮｏｄｅ Ｂと通信を遂行しているＵＥ（Ｕｓｅｒ Ｅｑｕｉｐｍｅｎｔ）がハンドオーバー領域で逆方向伝送電力を制御する方法において、
現在のベストセルと通信を遂行する間、前記ＵＥがハンドオーバー領域に進入すると、活性集合内の複数のセルに無線リンクをそれぞれ設定し、 前記設定されている無線リンクの状態によってベストセルが前記現在のベストセルから次のベストセルへ変更されなければならないことを認識するステップと、
前記ベストセルが変更されなければならないことを認識したタイムスロットから 遅延時間の間、前記次のベストセルから受信したＴＰＣ（Ｔｒａｎｓｍｉｓｓｉｏｎ Ｐｏｗｅｒ Ｃｏｎｔｒｏｌ）命令によって伝送電力を制御するステップと
を含むことを特徴とする方法。
【請求項７】
前記遅延時間は、前記ベストセルが変更されなければならないことを認識したタイムスロットから前記次のベストセルが電力減少命令をＴＰＣ命令として最初に伝送するタイムスロットまでの時間であることを特徴とする請求項６記載の方法。
【請求項８】
前記遅延時間は、前記ベストセルが変更されるべきことを認識したタイムスロットから前記ベストセルが前記現在のベストセルから前記次のベストセルへ実際に変更されるタイムスロットまでの時間であることを特徴とする請求項６記載の方法。
【請求項９】
前記遅延時間の間、前記ＵＥが前記現在のベストセルに最後の情報を伝送する時点までの区間の間は、前記現在のベストセルから受信したＴＰＣ命令を前記次のベストセルから受信したＴＰＣ命令と比較するステップと、
前記現在のベストセル及び前記次のベストセルの両方から受信した前記ＴＰＣ命令のうちいずれか１つが電力減少命令である場合、伝送電力を減少させるステップと、
前記現在のベストセル及び前記次のベストセルの両方から受信した前記ＴＰＣ命令のうちいずれか１つが電力増加命令である場合、伝送電力を増加させるステップとをさらに含むことを特徴とする請求項６記載の方法。
【請求項１０】
高速セル選択（Ｆａｓｔ Ｃｅｌｌ Ｓｅｌｅｃｔｉｏｎ；ＦＣＳ）方式を使用してＮｏｄｅ Ｂと通信を遂行しているＵＥ（Ｕｓｅｒ Ｅｑｕｉｐｍｅｎｔ）がハンドオーバー領域で逆方向伝送電力を制御する方法において、
活性集合内の複数のセルに無線リンクをそれぞれ設定するステップと、
前記ＵＥが現在のベストセルと通信を遂行する間、ハンドオーバー領域へ進入すると、ベストセルが前記設定されている無線リンクの状態によって前記現在のベストセルから次のベストセルへ変更されなければならないことを認識するステップと、
前記ベストセルが変更されなければならないことを認識した時点から前記ベストセルが前記現在のベストセルから前記次のベストセルへ実際に変更される時点までの区間の間、前記無線リンクのそれぞれの状態が予め設定されたしきい値より大きいかまたは同一である場合にのみ電力減少命令を伝送するステップと、
前記無線リンクのうちいずれか１つがしきい値より低い状態値を有する場合電力増加命令を伝送するステップと
を含むことを特徴とする方法。
【請求項１１】
高速セル選択（Ｆａｓｔ Ｃｅｌｌ Ｓｅｌｅｃｔｉｏｎ；ＦＣＳ）方式を使用してＮｏｄｅ Ｂと通信を遂行しているＵＥ（Ｕｓｅｒ Ｅｑｕｉｐｍｅｎｔ）がハンドオーバー領域で逆方向伝送電力を制御する装置において、
受信した共通パイロットチャンネル（ＣＰＩＣＨ）信号の伝送電力を測定し、現在のベストセルを保持するか、または前記現在のベストセルを次のベストセルへ変更するかを判断することにより、ベストセルの保持／変更情報を生成する電力測定及びベストセル識別部と、
活性集合内の複数のＮｏｄｅ Ｂから受信した共通制御チャンネル（ＳＨＣＣＨ）信号を逆多重化してＴＰＣ命令を出力する逆多重化器と、
前記逆多重化器から出力して前記複数のＮｏｄｅ Ｂから受信したＴＰＣ命令を貯蔵するＴＰＣ命令貯蔵部と、
前記伝送電力測定及びベストセル識別部から前記ベストセルが前記現在のベストセルから前記次のベストセルへ変更されなければならないことを示すベストセル変更情報を受信すると、前記ベストセルが前記現在のベストセルから前記次のベストセルへ変更される時点から所定な区間の間貯蔵したＴＰＣ命令に基づいた伝送電力制御オフセットを決定した後、前記決定された電力制御オフセットに基づいた前記次のベストセルに対する初期伝送電力を補償するＵＥの伝送電力制御器と
を含むことを特徴とする装置。
【発明の詳細な説明】
【０００１】
【発明の属する技術分野】
本発明は、高速の順方向パケット接続（ｈｉｇｈ−ｓｐｅｅｄ ｄｏｗｎｌｉｎｋ ｐａｃｋｅｔ ａｃｃｅｓｓ；ＨＳＤＰＡ）方式を使用する通信システムに関し、特に、高速セル選択（ｆａｓｔ ｃｅｌｌ ｓｅｌｅｃｔｉｏｎ；ＦＣＳ）方式で通信を遂行する間ベストセルの変更のとき伝送電力を制御する装置及び方法に関する。
【０００２】
【従来の技術】
一般的に、符号分割多元接続（Ｃｏｄｅ Ｄｉｖｉｓｉｏｎ Ｍｕｌｔｉｐｌｅ Ａｃｃｅｓｓ；以下、“ＣＤＭＡ”と略称する。）通信システムは、チャンネル状態での急激な変化によるデータの損失を最小化するために、閉ループ電力制御（ｃｌｏｓｅｄ−ｌｏｏｐ ｐｏｗｅｒ ｃｏｎｔｒｏｌ）方法を使用している。前記閉ループ電力制御方法は、受信器が送信器から伝送した信号を受信し、前記受信した信号の電力レベル（ｐｏｗｅｒ ｌｅｖｅｌ）を検出する。そうすると、前記受信器が前記検出された電力レベルに基づいた次の受信電力レベルに対して増加（ｕｐ）させるかまたは減少（ｄｏｗｎ）させるかを決定した後、前記送信器に電力増加／減少命令を伝送する。前記送信器から受信した信号の測定された電力レベルが設定レベルより低い場合、前記受信器は電力増加命令を伝送する。しかし、前記測定された電力レベルが前記設定レベルより高いかまたは同一である場合、前記受信器は、前記送信器へ電力減少命令を伝送する。
【０００３】
前記伝力増加／減少に対する命令は、前記送信器と受信器との間に設定されている専用物理チャンネル（Ｄｅｄｉｃａｔｅｄ Ｐｈｙｓｉｃａｌ Ｃｈａｎｎｅｌ；以下、“ＤＰＣＨ”と略称する。）のうち、専用物理制御チャンネル（Ｄｅｄｉｃａｔｅｄ Ｐｈｙｓｉｃａｌ Ｃｏｎｔｒｏｌ Ｃｈａｎｎｅｌ；以下、“ＤＰＣＣＨ”と略称する。）の伝送電力制御（Ｔｒａｎｓｍｉｓｓｉｏｎ Ｐｏｗｅｒ Ｃｏｎｔｒｏｌ；以下、“ＴＰＣ”と略称する。）ビットを利用して伝送される。例えば、前記ＴＰＣビットは、単一ビットで構成され、‘１’または‘０’の値を有する。ここで、前記‘１’の値は、電力増加（ｐｏｗｅｒ ｕｐ）命令を意味し、前記‘０’の値は、電力減少（ｐｏｗｅｒ ｄｏｗｎ）命令を意味する。そこで、前記送信器は、受信器からＴＰＣビットを受信すると、前記受信されたＴＰＣビットの値に基づいて前記送信器の自分の伝送電力レベルを決定する。例えば、システムでは、前記ＴＰＣビット値が‘１’である場合、すなわち、電力増加命令を示す場合、送信器は、伝送電力を１ｄＢだけ増加させるように規定し、前記ＴＰＣビット値が‘０’である場合、すなわち、電力減少命令を示す場合、送信器は、前記伝送電力を１ｄＢだけ減少させるように規定することができる。
【０００４】
一方、使用者端末機（Ｕｓｅｒ Ｅｑｕｉｐｍｅｎｔ；以下、“ＵＥ”と略称する。）がソフトハンドオーバー領域（Ｓｏｆｔ Ｈａｎｄｏｖｅｒ Ｒｅｇｉｏｎ；ＳＨＯ）に位置すると、前記ＵＥは、活性集合に属する複数の活性Ｎｏｄｅ Ｂ（基地局）から信号を受信する。従って、前記多数の活性Ｎｏｄｅ Ｂのそれぞれから受信される信号の電力レベルを適切に制御するために特別な電力制御方法が必要である。前記ソフトハンドオーバー領域で、前記ＵＥは、前記活性Ｎｏｄｅ Ｂが管理する１個以上のセルに無線リンクを設定する。前記ＵＥは、２個以上のセルから順方向チャンネル（ｄｏｗｎｌｉｎｋ ｃｈａｎｎｅｌ）信号を受信し、前記受信された順方向チャンネル信号の電力レベルを測定し、前記無線リンクを通じて前記セルに対応するビット値を有するＴＰＣビットを伝送する。従って、前記ＵＥが前記ソフトハンドオーバー領域に位置する場合、２個以上のセルから受信された順方向チャンネル信号の状態を考慮してＴＰＣビットを生成する。
【０００５】
現在のＣＤＭＡ通信システムは、前記ＵＥが前記ソフトハンドオーバー領域に位置した場合、前記ＵＥは、前記設定されている無線リンクのうちいずれか１つが設定電力レベルより高い電力レベルを有するとしても、前記電力減少命令を伝送するように基本電力制御方法を利用して決定する。基本的に、前記ＵＥは、すべての無線リンクを通じて受信した信号が前記設定電力レベルより低い電力レベルを有する場合にのみ電力増加命令を伝送するように決定する。
【０００６】
また、逆方向リンクの場合、前記ソフトハンドオーバー領域に位置したＵＥは、２個以上のセルからＴＰＣ命令を受信することができる。そうすると、前記ＵＥは、ＴＰＣ命令に基づいた伝送電力を増加させるかまたは減少させるかを決定する。現在のＣＤＭＡ通信システムにおいて、２個以上のＴＰＣ命令を受信すると、ＵＥは、前記受信したＴＰＣ命令のうちいずれか１つが電力減少命令を示す場合、自分の伝送電力を減少させる。すなわち、ＵＥは、受信したすべてのＴＰＣ命令が電力増加命令である場合にのみ、自分の伝送電力を増加させる。
【０００７】
一方、現在提案されている高速順方向パケット接続（Ｈｉｇｈ Ｓｐｅｅｄ Ｄｏｗｎｌｉｎｋ Ｐａｃｋｅｔ Ａｃｃｅｓｓ；以下、“ＨＳＤＰＡ”と略称する。）方式（ｓｃｈｅｍｅ）は、次世代非同期式移動通信システムであるＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ；以下、“ＵＭＴＳ”と略称する。）通信システムで、高速順方向パケットデータの伝送を支援するための順方向データチャンネルである高速順方向共通チャンネル（Ｈｉｇｈ−Ｓｐｅｅｄ Ｄｏｗｎｌｉｎｋ Ｓｈａｒｅｄ Ｃｈａｎｎｅｌ；以下、“ＨＳ−ＤＳＣＨ”と略称する。）とこれに関連した制御チャンネルを含んだデータ伝送方式を意味する。そして、前記ＨＳＤＰＡ方式を支援するために新たに導入された代表的な技術は、（１）適応的変調方式及びコーディング（Ａｄａｐｔｉｖｅ Ｍｏｄｕｌａｔｉｏｎ ａｎｄ Ｃｏｄｉｎｇ；以下、“ＡＭＣ”と略称する。）（２）混合自動再伝送要求（Ｈｙｂｒｉｄ Ａｕｔｏｍａｔｉｃ Ｒｅｔｒａｎｓｍｉｓｓｉｏｎ Ｒｅｑｕｅｓｔ；以下、“ＨＡＲＱ”と略称する。）（３）高速セル選択（Ｆａｓｔ Ｃｅｌｌ Ｓｅｌｅｃｔｉｏｎ；以下、“ＦＣＳ”と略称する。）などがある。
【０００８】
ここで、前記ＡＭＣ、ＨＡＲＱ、及びＦＣＳを簡略に説明すると次のようである。
【０００９】
前記ＡＭＣ方式で、ＵＥが現在のチャンネル状態をＮｏｄｅ Ｂに報告すると、前記Ｎｏｄｅ Ｂは、前記ＵＥが報告したチャンネル状態に基づいた適切な変調方式及び符号化率（ｃｏｄｉｎｇ ｒａｔｅ）を決定する。前記ＨＡＲＱ方式は、物理チャンネル（ｐｈｙｓｉｃａｌ ｃｈａｎｎｅｌ）上のエラーを減少させるための再伝送方法に対する技術である。最初伝送したデータにエラーが発生すると、前記ＨＡＲＱ構造は、前記最初伝送したデータと同一のデータを再伝送するか、または復調のための付加情報を伝送し、これにより、伝送データの復調確率を増加させる。前記ＦＣＳ方式において、前記ＵＥは、ＵＥが設定している無線リンクのうち一番優秀なリンク状態を有するベストセル（ｂｅｓｔ ｃｅｌｌ）を選択し、前記ベストセルのＮｏｄｅ Ｂにセル選択情報を通報して前記ベストセルからデータを受信する。
【００１０】
前記ＨＳＤＰＡ方式において、ＵＥがソフトハンドオーバー領域に位置した場合にも、１つのＮｏｄｅ Ｂからのみデータを受信する。すなわち、前記ＨＳＤＰＡ方式はＦＣＳ方式を使用するので、前記ＵＥと無線リンクを設定した２個以上のＮｏｄｅ Ｂのうち受信状態が優秀な１個のベストセルを管理するＮｏｄｅ Ｂのみが前記ＵＥへデータを伝送する。ここで、前記ＵＥは、無線リンクが設定されたすべての活性Ｎｏｄｅ Ｂに前記ＵＥがベストセルに選択したセルに対する情報を知らせなければならない。また、前記ＵＥは、前記ベストセルに選択したＮｏｄｅ ＢにＨＡＲＱのための認知（Ａｃｋｎｏｗｌｅｄｇｅｍｅｎｔ；ＡＣＫ）／否定的認知（Ｎｅｇａｔｉｖｅ Ａｃｋｎｏｗｌｅｄｇｅｍｅｎｔ；ＮＡＣＫ）などの情報を伝送しなければならない。このとき、前記ＡＣＫ／ＮＡＣＫ情報は、前記ＵＥが前記ベストセルにのみ伝送する情報であり、前記ベストセル以外のセルには伝送されない。従って、各Ｎｏｄｅ Ｂから受信した情報がコンバイン（ｃｏｍｂｉｎｉｎｇ）されない。前記各Ｎｏｄｅ Ｂ、特に、ベストセルのＮｏｄｅ Ｂは、前記ＵＥからの情報を適当な伝送電力で受信する必要がある。
【００１１】
前記ＵＥは、ソフトハンドオーバー領域で、現在無線リンクが設定された現在のベストセル＃１に対するＴＰＣ命令を累積している。例えば、前記ＵＥが前記ベストセル＃１から１、０、０、１、１、１の前記ＴＰＣ命令を受信した場合、伝送電力レベルの累算値は２ｄＢになるのであろう。しかし、ベストセルが変更される場合、すなわち、前記現在のベストセルが前記ベストセル＃１から新たなベストセル＃２に変更される場合、前記ＵＥは、前記以前のストセル＃１に対する伝送電力レベルの累算値２ｄＢを利用して前記ベストセル＃２に対する伝送電力制御を遂行する。
【００１２】
前記ベストセルが前記現在のベストセルから新たなベストセルへ変更される場合、現在のＣＤＭＡ通信システムは、前記新たなベストセルに選択されたＮｏｄｅ Ｂに対する過去のＴＰＣ命令を考慮せず、前記ベストセルが変更される時点で新たなベストセル＃２に選択されたＮｏｄｅ Ｂに対するＴＰＣ命令によって伝送電力制御を遂行する。例えば、現在のシステムは、前記ベストセル＃１に対する電力レベルの累算値を考慮せず、伝送電力制御を遂行する。従って、前記ＵＥは、前記ベストセルが変更された時点の直後前記新たなベストセルにデータを伝送する場合、前記新たなベストセルに対する伝送電力レベルが適当な伝送電力レベルではない場合が発生することができる。このように、前記ＵＥが前記新たなベストセルに適当な伝送電力レベルを有しない場合、前記ベストセルから伝送される順方向データも前記ＵＥに適当な伝送電力レベルではないこともある。これは、現在の伝送電力制御は、ソフトコンバイン（ｓｏｆｔ ｃｏｍｂｉｎｉｎｇ）方式を基本にする反面、前記ＨＳＤＰＡは、無線リンク別にソフトコンバインされない情報を送受信するからである。
【００１３】
ソフトコンバイン方式に基づいた従来の伝送電力制御方法において、活性集合内のＮｏｄｅ Ｂのうちいずれか１つから電力減少命令を受信すると、ソフトハンドオーバー領域での前記ＵＥは、自分の伝送電力レベルを減少させる。しかし、前記ベストセルにのみ伝送電力制御を遂行するためのＦＣＳ方式を支援するＨＳＤＰＡシステムは、新たなベストセルのみ考慮して伝送電力制御を遂行する。一方、前記ベストセルが変更される以前の所定区間の間伝送電力制御傾向であるという点で、以前のベストセルと新たなベストセルとの間に大きい差異がある。その結果、ＵＥから実際伝送される信号の伝送電力レベルと新たなベストセルに選択されたＮｏｄｅ Ｂの初期伝送電力レベルとの間に相当な差異が発生することがあった。
【００１４】
【発明が解決しようとする課題】
従って、本発明の目的は、ＨＳＰＤＡ方式を使用する通信システムでＦＣＳ方式にて通信を遂行する間、ベストセルが変更されると、伝送電力を制御する装置及び方法を提供することにある。
【００１５】
【課題を解決するための手段】
前記のような目的を達成するために、本発明は、ＦＣＳ方式を使用してＮｏｄｅ Ｂと通信を遂行しているＵＥがハンドオーバー領域で逆方向伝送電力を制御する装置において、受信した共通パイロットチャンネル（ＣＰＩＣＨ）信号の伝送電力を測定し、現在のベストセルを保持するか、または前記現在のベストセルを次のベストセルへ変更するかを判断することにより、ベストセルの保持／変更情報を生成する電力測定及びベストセル識別部と、活性集合内の複数のＮｏｄｅ Ｂから受信した共通制御チャンネル（ＳＨＣＣＨ）信号を逆多重化してＴＰＣ命令を出力する逆多重化器と、前記逆多重化器から出力して前記複数のＮｏｄｅ Ｂから受信したＴＰＣ命令を貯蔵するＴＰＣ命令貯蔵部と、前記伝送電力測定及びベストセル識別部から前記ベストセルが前記現在のベストセルから前記次のベストセルへ変更されなければならないことを示すベストセル変更情報を受信すると、前記ベストセルが前記現在のベストセルから前記次のベストセルへ変更される時点から所定な区間の間貯蔵したＴＰＣ命令に基づいた伝送電力制御オフセットを決定した後、前記決定された電力制御オフセットに基づいた前記次のベストセルに対する初期伝送電力を補償するＵＥの伝送電力制御器とを含むことを特徴とする。
【００１６】
また、本発明は、ＦＣＳ方式を使用してＮｏｄｅ Ｂと通信を遂行しているＵＥがハンドオーバー領域で逆方向伝送電力を制御する方法において、現在のベストセルと通信を遂行する間、前記ＵＥがハンドオーバー領域に進入すると、活性集合内の複数のセルから所定区間の間受信されるＴＰＣ命令を貯蔵するステップと、前記次のベストセルが前記複数のセルから選択される場合、前記ベストセルが前記現在のベストセルから前記次のベストセルへ変更される時点で、所定な期間の間、前記現在のベストセルからのＴＰＣ命令を前記次のベストセルからのＴＰＣ命令と比較することによって伝送電力オフセットを決定するステップと、前記伝送電力オフセットを考慮した伝送電力レベルで前記次のベストセルに対する初期伝送電力を伝送するステップとを含むことを特徴とする。
【００１７】
【発明の実施の形態】
以下、本発明に従う好適な実施例について添付図面を参照しつつ詳細に説明する。下記説明において、本発明の要旨のみを明確にする目的で、関連した公知機能または構成に関する具体的な説明は省略する。
【００１８】
図１は、一般的なＨＳＤＰＡ方式を使用する通信システムのチャンネル構造を概略的に示す。
【００１９】
前記ＨＳＤＰＡ方式を使用する通信システムは、図１に示すように、２つの代表的なチャンネルを有する。図１において、参照番号１０１は、順方向共通チャンネル（Ｄｏｗｎｌｉｎｋ Ｓｈａｒｅｄ Ｃｈａｎｎｅｌ；以下、“ＤＳＣＨ”と略称する。）のタイムスロットフォーマット（ｔｉｍｅ ｓｌｏｔ ｆｏｒｍａｔ）で１つのタイムスロットを示す。前記各タイムスロットには、順方向データチャンネルである高速順方向共通チャンネル（Ｈｉｇｈ Ｓｐｅｅｄ−Ｄｏｗｎｌｉｎｋ Ｓｈａｒｅｄ Ｃｈａｎｎｅｌ；以下、“ＨＳ−ＤＳＣＨ”と略称する。）１０２と、前記ＨＳ−ＤＳＣＨに対する制御情報を伝送する制御チャンネル（ｃｏｎｔｒｏｌ ｃｈａｎｎｅｌ ｆｏｒ ＨＳ−ＤＳＣＨ）１０３、例えば、共通制御チャンネル（Ｓｈａｒｅｄ Ｃｏｎｔｒｏｌ Ｃｈａｎｎｅｌ；ＳＨＣＣＨ）とを備える。前記ＨＳ−ＤＳＣＨ１０２の場合、現在非同期ＣＤＭＡシステムで使用されるＤＳＣＨがそのまままたは変形されて使用されることができる。前記ＨＳ−ＤＳＣＨ１０２は、前記ＨＳＤＰＡサービスデータを伝送するのに使用される。純粋なデータのみを伝送する前記ＨＳ−ＤＳＣＨ１０２は、複数のＵＥが共有し、伝送電力制御（ＴＰＣ）を遂行しないチャンネルである。その一方、前記共通制御チャンネル１０３は、前記ＨＳ−ＤＳＣＨ１０２に対する制御情報を伝送するチャンネルとして、各ＵＥに割り当てた専用チャンネル（ｄｅｄｉｃａｔｅｄ ｃｈａｎｎｅｌ）であり、伝送電力制御を必要とする。
【００２０】
下記説明において、伝送電力制御方法は、前記共通制御チャンネル１０３の伝送電力の制御を目指し、必要であれば、前記ＨＳ−ＤＳＣＨ１０２の伝送電力の制御にも使用されることができる。
【００２１】
前述したように、前記ＨＳＤＰＡ方式は、ＦＣＳ方式を支援するので、新たな伝送電力制御アルゴリズムを必要とする。すなわち、既存のＣＤＭＡ通信システムで使用される順方向伝送電力制御方法において、１個以上のＮｏｄｅ Ｂに設定された無線リンクを有するＵＥは、活性集合内の複数のＮｏｄｅ Ｂから受信されるＴＰＣ命令をソフトコンバイン（ｓｏｆｔ ｃｏｍｂｉｎｉｎｇ）して伝送電力制御を遂行する。しかし、前記ＦＣＳ方式を使用するＨＳＤＰＡシステムの場合、ＵＥは、前記Ｎｏｄｅ Ｂのうちベストセルに選択された無線リンク連結状態が一番よい、すなわち、チャンネル状態が一番良好なＮｏｄｅ Ｂとのみデータを送受信することができる。そこで、ＵＥは、前記ベストセルに選択された１個のＮｏｄｅ Ｂとのみ伝送電力制御を遂行する。
【００２２】
逆方向チャンネルを通じて前記ＦＣＳ方式を使用せず無線リンクを設定しているすべてのＮｏｄｅ Ｂは、前記ＵＥからの信号を受信する。しかし、前記ＦＣＳ、ＡＭＣ、及びＨＡＲＱ方式を利用するＨＳＤＰＡ通信システムでは、前記ベストセルが前記ＵＥから受信すべき情報、すなわち、前記ＡＭＣの変調符号方式（ＭＣＳ）または前記ＨＡＲＱのＡＣＫ／ＮＡＣＫ信号レベル、及びベストセルに選択したＮｏｄｅ Ｂの伝送電力レベルと相当な差異（オフセット）がある場合、初期にオフセットを補償しなければ、前記新たなＮｏｄｅ Ｂが前記情報を正確に受信するのに相当な長時間を必要とする。
【００２３】
従って、本発明は、前記初期の電力オフセットを補償するための多様な方法を提示する。
【００２４】
第１実施形態
本発明の第１実施形態は、前記ＨＳＤＰＡ方式を使用する通信システムの逆方向伝送電力制御方法を提案する。前記第１実施形態による伝送電力制御方法は、前記ベストセルが新たなベストセルに選択したＮｏｄｅ ＢがＡＭＣに必要なＭＣＳレベル情報、またはＨＡＲＱに必要なＡＣＫ／ＮＡＣＫ情報を正確に受信できるようにする。その結果、以前のベストセルから受信したデータに基づいた逆方向伝送電力制御を遂行するＵＥができるだけ速く新たなベストセルと最適の通信が可能であるように、すなわち、前記ＦＣＳ方式での前記ベストセルが変更される間、最適の伝送電力制御状態に遷移するようにする。前記第１実施形態については、図２を参照して説明する。
【００２５】
図２は、本発明の第１実施形態による高速セル選択（ＦＣＳ）を使用する移動通信システムでベストセルの変更のとき伝送電力オフセットを考慮した逆方向伝送電力制御を遂行するための方法を示す。
【００２６】
図２では、以前のベストセル（ｏｌｄ ｂｅｓｔ ｃｅｌｌ）から新たなベストセル（ｎｅｘｔ ｂｅｓｔ ｃｅｌｌ）へベストセルが変更される場合を仮定する。まず、参照番号２０１は、以前のベストセルが伝送するＨＳ−ＤＳＣＨ信号のタイムスロットを示し、参照番号２０２は、新たなベストセルが伝送するＨＳ−ＤＳＣＨ信号のタイムスロットを示す。そして、参照番号２０７は、前記ベストセルが前記以前のベストセルから前記新たなベストセルへ変更される時点を示す。すなわち、前記ベストセルが変更される時点２０７の以前は、前記ＵＥは、前記以前のベストセルが伝送するＨＳ−ＤＳＣＨ２０１を通じてデータを受信し、前記ベストセルが変更される時点２０７の以後は、前記ＵＥは、前記新たなベストセルが伝送するＨＳ−ＤＳＣＨ２０２を通じてデータを受信する。前述したように、前記ベストセルが変更されると、新たなベストセルへ情報を伝送するために、ＵＥは、前記新たなベストセルに適合な伝送電力レベルを決定しなければならない。しかし、前記既存のＨＳＤＰＡ方式の伝送電力制御方法によると、前記ベストセルが変更される時点２０７の以前までは、以前のベストセルの伝送電力レベルに合わせて伝送電力制御が遂行されるので、前記ベストセルが変更される時点２０７の直後、前記新たなベストセルの伝送電力レベルに適合しない場合が発生する。すなわち、前記ベストセルが変更される時点の直前、以前のベストセルからＵＥへ伝送されるＴＰＣ命令は、前記ＵＥが実際遂行した伝送電力制御動作と同一ではない場合が発生する。
【００２７】
また、図２の参照番号２０３は、前記ＵＥが遂行する伝送電力制御動作の結果としての、伝送電力レベルの増加または減少を示す。前記ＵＥが遂行した伝送電力制御動作（実行）を示す矢印のうち、上向き矢印が前記ＵＥの伝送電力レベルの増加を意味し、反面、下向き矢印は、前記ＵＥの伝送電力レベルの減少を意味すると仮定する。そして、参照番号２０４は、前記新たなベストセルが遂行する伝送電力制御動作による伝送電力レベルの増加または減少を示す。前記新たなベストセルで受信したＴＰＣ命令を示す矢印のうち、前記上向き矢印は、前記ＵＥの伝送電力レベルを増加させる“電力増加命令（ｐｏｗｅｒ−ｕｐ ｃｏｍｍａｎｄ）”を示し、これに反して、前記下向き矢印は、前記ＵＥの伝送電力レベルを減少させる“電力減少命令（ｐｏｗｅｒ−ｄｏｗｎ ｃｏｍｍａｎｄ）”を示すと仮定する。
【００２８】
前記ベストセルが変更される直前、前記以前のベストセルから前記ＵＥへ伝送されたＴＰＣ命令は、前記ＵＥが実際遂行した伝送電力制御動作と一致しない場合、既存の伝送電力制御方法を使用すると、前記新たなベストセルは、前記ベストセルが変更される直後、前記ＵＥから伝送した逆方向情報を正確に受信することができない。このような場合、前記新たなベストセルへ正確に伝送されなければならない情報、例えば、ＭＣＳレベル情報、またはＡＣＫ／ＮＡＣＫ情報を正確に伝送することができない。その結果、前記新たなベストセルは、ＡＭＣ方式及びＨＡＲＱ方式を正確に支援することができない場合が発生する。
【００２９】
従って、本発明の第１実施形態は、前記ＵＥが遂行した以前の伝送電力制御動作と前記新たなベストセルのＴＰＣ命令の各ヒストリー（ｈｉｓｔｏｒｙ）を演算して適正な伝送電力オフセットを決定した後、前記新たに選択された新たなベストセルの初期伝送電力レベルを前記伝送電力オフセットだけ増加させて逆方向チャンネル信号を伝送する。
【００３０】
本発明の第１実施形態による伝送電力制御方法について詳細に説明する。前記ＵＥは、前記ベストセルが変更される時点２０７で、以前のベストセル及び新たなベストセルに対して設定区間の間、ＴＰＣ命令ヒストリー値を貯蔵しなければならない。ここで、前記ＵＥが前記以前のベストセルに対するＴＰＣ命令ヒストリー値を貯蔵すべき“所定の区間（ｐｒｅｓｅｔ ｄｕｒａｔｉｏｎ）”は、図２の参照番号２０８で示される区間であり、前記区間２０８は、前記ベストセルが変更される時点２０７の直前のタイムスロットから前記新たなベストセルから前記ＵＥへ伝送されるＴＰＣ命令のうち、電力減少命令を時間の降順で最初に伝送するタイムスロットまで、すなわち、タイムスロット２０６の直前のタイムスロットまでである。ここで、前記所定の区間（ｄｕｒａｔｉｏｎ１）２０８は、前記以前のベストセルから伝送したＴＰＣ命令に対するヒストリー、すなわち、前記区間の間、ＴＰＣ命令が電力増加命令または電力減少命令であることを示すヒストリーを貯蔵するための“ＴＰＣ命令ヒストリー貯蔵区間”と称される。前記以前のベストセルに選択されたＮｏｄｅ ＢのＴＰＣ命令を前記新たなベストセルに選択されたＮｏｄｅ ＢのＴＰＣ命令と比較すると、前記ＵＥが遂行した伝送電力制御動作が前記新たなベストセルが前記ＵＥへ伝送したＴＰＣ命令と一致しない場合が発生する。このような場合、前記新たなベストセルが前記ＵＥに電力増加命令を伝送したとしても、前記ＵＥは、伝送電力レベルを減少させる伝送電力制御動作を遂行するであろう。前記ベストセルが変更される時点２０７の以後、一番目のタイムスロット２０５で逆方向チャンネル信号の伝送の間与えられた伝送電力オフセットは、前記ＵＥが貯蔵しているＴＰＣ動作ヒストリーと前記新たなベストセルが前記ＵＥに伝送したＴＰＣ命令ヒストリーとを比較して決定されることができる。例えば、下記式（１）に示すように、前記ＵＥが前記以前のベストセルから伝送されたＴＰＣ命令を貯蔵するためのＴＰＣ命令ヒストリー貯蔵区間２０８の間貯蔵されているＴＰＣ命令のうち電力減少命令の数を検出した後、電力減少命令の数を２倍にする。
【数３】
2004518332.tif 000003
【００３１】
前記以前のベストセルと前記新たなベストセルとの伝送電力レベル差異を減少させるための伝送電力オフセットＰｏｆｆｓｅｔを決定するようになる。
【数４】
2004518332.tif 000004
【００３２】
式（１）において、Ｐｏｆｆｓｅｔは、前記ベストセルが変更された後、一番目のタイムスロットで補償する伝送電力オフセット値を示し、Ｄｕｒａｔｉｏｎ１は、ＴＰＣ命令ヒストリー貯蔵区間であり、ＵＥｄｏｗｎは、前記ＵＥが遂行した伝送電力制御動作のうち電力減少動作を示す。
【００３３】
図２を参照すると、前記新たなベストセルが４タイムスロット２１０の間電力増加命令を伝送する一方、前記以前のベストセルは、前記タイムスロット２１０に関連する４タイムスロット２０９で（ｉ）電力減少命令、（ｉｉ）電力減少命令、（ｉｉｉ）電力増加命令、及び（ｉｖ）電力減少命令の順に伝送する。従って、前記ベストセルが変更される時点２０７で、前記以前のベストセルの４タイムスロット２０９は、ＴＰＣ命令値で前記新たなベストセルのタイムスロット２１０とは異なり、これにより、前記以前のベストセルから伝送した電力減少命令によって伝送電力制御動作を遂行した。従って、式（１）を適用すると、前記伝送電力オフセットＰｏｆｆｓｅｔは２＊３＝６にならなければならない。その結果、前記ＵＥは、前記伝送電力オフセットだけ伝送電力制御初期値を補償しなければならなく、その結果、前記ＵＥは、前記ベストセルが変更される時点２０７の以後、一番目のタイムスロット２０５で前記伝送電力オフセットを考慮した前記伝送電力制御初期値を決定する。
【００３４】
本発明の第１実施形態は、前記ベストセルが前記以前のベストセルから前記新たなベストセルへ変更される時点から、時間の降順で新たなベストセルから伝送したＴＰＣ命令のうち電力減少命令を最初に伝送するタイムスロットの直前のタイムスロットまでのタイムスロット区間の間、以前のベストセルから伝送したＴＰＣ命令ヒストリーに基づいた伝送電力オフセットを考慮して初期伝送電力レベルを決定するための方法を参照して説明された。そうすると、次に、図３を参照して本発明の第２実施形態について説明する。
【００３５】
第２実施形態
図３は、本発明の第２実施形態による高速セル選択を使用する移動通信システムでのベストセルの変更のとき伝送電力オフセットを考慮した 逆方向伝送電力を制御するための方法を示す。
【００３６】
図３を参照すると、参照番号３０１は、以前のベストセルが伝送したＨＳ−ＤＳＣＨ信号のタイムスロットを示し、参照番号３０２は、新たなベストセルが伝送したＨＳ−ＤＳＣＨ信号のタイムスロットを示す。そして、参照番号３０３は、前記ＵＥが遂行した伝送電力制御動作（実行）を示し、参照番号３０４は、新たなベストセルが伝送したＴＰＣ命令を示す。また、参照番号３０７は、ベストセルが前記以前のベストセルから前記新たなベストセルへ変更される時点を示す。前記ベストセルが変更される時点３０７で、ＵＥは、以前のベストセル及び新たなベストセルに対して所定の区間（ｄｕｒａｔｉｏｎ２）３０６の間ＴＰＣ命令ヒストリー値を貯蔵しなければならない。図３に示すように、所定の区間３０６は、時間の降順でベストセルが変更される時点３０７から予め設定されたタイムスロットの個数を含む。前記所定の区間３０６は、前記第１実施形態でのように、“ＴＰＣ命令ヒストリー貯蔵区間”と定義する。前述したよに、ベストセルが変更される場合、前記ベストセルが変更される以前に前記ＵＥが遂行した伝送電力制御動作は、前記新たなベストセルが前記ＵＥへ伝送したＴＰＣ命令と一致しない場合が発生する。従って、前記ＵＥは、前記ベストセルが変更される時点３０７の以後、一番目のタイムスロットで逆方向チャンネル信号の伝送のとき伝送電力オフセット３０５を考慮して伝送電力を制御しなければならない。ここで、前記ＵＥは、前記ＴＰＣ命令ヒストリー貯蔵区間３０６の間貯蔵された前記ＴＰＣ命令ヒストリーと新たなベストセルがＵＥへ伝送した前記ＴＰＣ命令ヒストリーを比較して前記伝送電力オフセットを決定することができる。
【００３７】
本発明の第２実施形態による伝送電力オフセットは、下記式（２）によって計算されることができる。式（２）に示すように、前記ＴＰＣ命令ヒストリー貯蔵区間の間、新たなベストセルの電力増加命令の数と電力減少命令の数との差異から前記ＵＥが伝送電力を増加させた数と前記伝送電力を減少させた数との差異を減算して求められることができる。
【数５】
2004518332.tif 000005
【００３８】
式（２）において、Ｐｏｆｆｓｅｔは、ベストセルが変更される時点３０７の以後一番目のタイムスロットで補償する伝送電力オフセット値を示し、ｄｕｒａｔｉｏｎ２は、ＴＰＣ命令ヒストリー貯蔵区間を示し、ＵＴＲＡＮｕｐは、新たなベストセルからＵＥへ伝送したＴＰＣ命令のうち電力増加命令の数を示し、ＵＴＲＡＮｄｏｗｎは、新たなベストセルからＵＥへ伝送したＴＰＣ命令のうち電力減少命令の数を示し、ＵＥｕｐは、ＵＥが実行した、すなわち、以前のベストセルから伝送したＴＰＣ命令のうち電力増加命令の数を示し、ＵＥｄｏｗｎは、ＵＥが実行した、すなわち、以前のベストセルから伝送したＴＰＣ命令のうち電力減少命令の数を示す。
【００３９】
図３を参照すると、新たなベストセルは、２個の電力増加命令ＵＴＲＡＮｕｐ及び１個の電力減少命令ＵＴＲＡＮｄｏｗｎを伝送した。そして、前記以前のベストセルが伝送したＴＰＣ命令のうち、前記ＵＥが実行した電力増加命令ＵＥｕｐの数は１である一方、前記以前のベストセルが伝送したＴＰＣ命令のうち、前記ＵＥが実行した電力減少命令ＵＥｄｏｗｎの数は２である。式（２）から、前記伝送電力オフセットは（２−１−（１−２））＝２で計算される。
【００４０】
本発明の第２実施形態は、前記ベストセルが前記以前のベストセルから前記新たなベストセルへ変更される時点での所定のタイムスロット区間の間、以前のベストセルから伝送したＴＰＣ命令ヒストリーに対応する伝送電力オフセットを考慮して初期伝送電力を決定するための方法を参照して説明された。そうすると、図４を参照して本発明の第３実施形態について説明する。
【００４１】
第３実施形態
図４は、本発明の第３実施形態による高速セル選択を使用する移動通信システムでベストセルの変更のとき伝送電力オフセットを考慮した 逆方向伝送電力を制御するための方法を示す。
【００４２】
図４を参照すると、参照番号４０１は、以前のベストセルが伝送したＨＳ−ＤＳＣＨ信号のタイムスロットを示し、参照番号４０２は、新たなベストセルが伝送したＨＳ−ＤＳＣＨ信号のタイムスロットを示す。そして、参照番号４０３は、ＵＥが実行する、すなわち、以前のベストセルが伝送するＴＰＣ命令を示す一方、参照番号４０４は、前記新たなベストセルが伝送したＴＰＣ命令を示す。また、参照番号４０７は、ベストセルが前記以前のベストセルから前記新たなベストセルへ変更される時点を示す。前記ＵＥは、前記ベストセルが変更される時点４０７を基準にして、時間の降順で所定の区間の間、すなわち、前記ベストセルが変更される時点４０７の直前の１タイムスロット４０６の間、前記以前のベストセル及び新たなベストセルが伝送したＴＰＣ命令を貯蔵しなければならない。前記ベストセルが変更される時点４０７の直前の１タイムスロット４０６で前記新たなベストセルから伝送したＴＰＣ命令が電力減少命令である場合、前記ＵＥは、前記伝送電力オフセット値を０に設定し、その後、既存の伝送電力制御方式と同一の方式にて伝送電力制御を遂行する。しかし、前記ベストセルが変更される時点４０７の直前の１タイムスロット４０６で前記新たなベストセルから伝送したＴＰＣ命令が電力増加命令である場合、前記ＵＥは、予め設定した伝送電力オフセットを考慮して前記ベストセルが変更される時点４０７の以後、一番目のタイムスロットでの伝送電力を決定する。
【００４３】
一方、前記ＦＣＳ方式は、ソフトハンドオーバー領域で以前のベストセルから新たなベストセルへベストセルを変更するにおいて、所定の遅延時間（ｄｅｌａｙ ｔｉｍｅ）を有する。すなわち、前記ＨＳＤＰＡ方式でベストセルが変更されるべきことを認識すると、新たなベストセルが一般的に状態がさらに良好な無線リンクを有する。しかし、このような場合、それに従うシグナリング（ｓｉｇｎａｌｉｎｇ）または新たな伝送電力制御が必要であるので、所定の遅延時間の後ベストセルを変更する。前記遅延時間の間、新たなベストセルへの変更を準備しなければならなく、伝送電力制御も新たなベストセルへ変更される場合に備えて実行しなければならない。従って、本発明は、前記ベストセル変更過程で遅延時間の問題を解決するために前記遅延時間を新たに宣言するための新たな電力制御方法を提案する。幾つの実施形態を参照して詳細な方法を説明する。
【００４４】
図５は、本発明の第４実施形態及び第５実施形態によって高速セル選択を使用する移動通信システムでベストセルの変更のとき伝送電力オフセットを考慮した逆方向伝送電力を制御するための方法を示す。
【００４５】
第４実施形態
図５を参照すると、参照番号５０１は、以前のベストセルが伝送するＨＳ−ＤＳＣＨ信号のタイムスロットを示し、参照番号５０２は、新たなベストセルが伝送するＨＳ−ＤＳＣＨ信号のタイムスロットを示す。また、参照番号５０３は、前記新たなベストセルがＵＥに伝送するＴＰＣ命令を示し、参照番号５０４は、前記ＵＥがＮｏｄｅ Ｂへ伝送する逆方向チャンネル信号のタイムスロットを示す。一方、前記ＵＥが前記逆方向チャンネル信号のタイムスロット５０４のうち、タイムスロット５０６でベストセルが変更されるべきことを認識しても、前記ベストセルが変更されるべきことを認識するタイムスロット５０６で新たなベストセルに選択されたＮｏｄｅ ＢへデータをＵＥがすぐ伝送することは不能である。その理由は、前述したように、シグナリング及び伝送電力制御に対する時間遅延からである。
【００４６】
そして、前記逆方向チャンネル信号のタイムスロット５０４のうち、ＵＥは、タイムスロット５０８を使用して、シグナリングに対するベストセル変更情報及び新たなベストセルに適合した伝送電力制御を伝送する。前記タイムスロット５０８は、前記タイムスロット５０６の以後１フレームまたは所定数のタイムスロットのような時間遅延後のタイムスロットとして定義されることができ、これにより、前記ベストセルが以前のベストセルから新たなベストセルへ変更されるようにできる。
【００４７】
これとは異なる方法で、前記ベストセルを変更する情報のタイムスロットは、前記ＵＥがベストセルを変更すべきことを認識した時点のタイムスロット５０６の以後、電力減少命令を最初に伝送した新たなベストセルがタイムスロット５１１として定義されることができる。すなわち、前記タイムスロット５０８が前記タイムスロット５０６の以後、新たなベストセルが前記ＵＥに電力減少命令を最初に伝送したタイムスロットになる。また、一定の区間（ｄｕｒａｔｉｏｎ３）５０９は、前記ＵＥが前記ベストセルを変更させるべきことを認知するタイムスロット５０６からタイムスロット５０８で前記ＵＥから伝送したベストセル変更情報に応じて以前のベストセルから新たなベストセルへベストセルが実際変更される時点５０５までの時間区間を意味する。第４実施形態で、前記遅延時間（ｄｕｒａｔｉｏｎ３）５０９の間、前記ＵＥは、新たなベストセルのＴＰＣ命令によって伝送電力を制御して、以前のベストセルから新たなベストセルへベストセルが変更されるとしても、伝送電力を適切に制御できるようにする。
【００４８】
前記ベストセルが前記以前のベストセルから前記新たなベストセルへ実際に変更される遅延時間の区間で、以前のベストセルに必要な情報を伝送しなければならない。前記“以前のベストセルに必要な情報”は、ＨＡＲＱ方式で使用されるＡＣＫ／ＮＡＣＫ情報を含むことができる。従って、前記新たなベストセルが選択された後、前記以前のベストセルに必要な情報を伝送すべき区間までは、前記以前のベストセル及び前記新たなベストセルのすべてが前記ＵＥから伝送される信号を正確に受信するようにできる伝送電力制御方法を必要とする。従って、本発明の第５実施形態は、前記遅延区間で以前のベストセル及び新たなベストセルのすべてに適当な伝送電力制御方法を提案する。
【００４９】
第５実施形態
本発明の第５実施形態は、図５を参照して説明する。前述したように、図５は、以前のベストセルが伝送するＨＳ−ＤＳＣＨ信号のタイムスロット５０１及び新たなベストセルが伝送するＨＳ−ＤＳＣＨ信号のタイムスロット５０２を示す。また、ＵＥは、Ｎｏｄｅ Ｂへ逆方向チャンネルのタイムスロット５０４を伝送する途中、よくない無線リンク状態によってベストセルを変更すべきことを前記タイムスロット５０６で認識するようになる。前記区間（ｄｕｒａｔｉｏｎ３）５０９は、前記ＵＥがベストセルを変更すべきことを認知する時点から実際にベストセルが以前のベストセルから新たなベストセルへ変更される時点５０５までの時間区間を意味する。前記時間区間５０９の間、前記ＵＥが以前のベストセルへＡＣＫ／ＮＡＣＫ情報をタイムスロット５０７で最後に伝送する場合、前記ＵＥが前記ベストセルを変更すべきことを認識する時点のタイムスロットから前記ＵＥが以前のベストセルへ前記情報を最後に伝送するタイムスロット５０７までを時間区間（ｄｕｒａｔｉｏｎ４）５１０として定義する。本発明の第５実施形態は、前記時間区間５１０の間、前記ＵＥの逆方向伝送電力を制御するための方法を提案する。
【００５０】
前記時間区間５１０の間、前記ＵＥは、以前のベストセル及び新たなベストセルのすべてに適合した伝送電力で信号を伝送して、前記以前のベストセル及び新たなベストセルのすべては、前記ＵＥが伝送した情報を受信することができる。前記以前のベストセルからのＴＰＣ命令及び新たなベストセルからのＴＰＣ命令がすべて電力減少命令である場合にのみ、前記ＵＥは、伝送電力レベルを減少させる。そうではなければ、前記以前のベストセル及び前記新たなベストセルから受信されるＴＰＣ命令のうちいずれか１つが電力増加命令である場合、前記ＵＥは、伝送電力レベルを増加させる。このようにして、本発明の第５実施形態は、前記遅延時間の間、以前のベストセル及び新たなベストセルのすべてに適当な伝送電力制御を実行する。
【００５１】
第６実施形態
本発明の第６実施形態による図１のＨＳ−ＤＳＣＨに対する制御情報を伝送する共通制御チャンネル（ＳＨＣＣＨ）のような順方向チャンネルに対する伝送電力を制御する方法を図６を参照して説明する。既存の電力制御方法において、無線リンクを有するすべてのセルがすべてデータリンクを有するようになり、前記ＵＥは、セルのうち１個のセルでもデータリンク状態が良好な場合、Ｎｏｄｅ Ｂに対する電力減少命令を伝送する。しかし、既存の伝送電力制御方法がＦＣＳ方式とともに使用されると、現在のベストセルに適合するように電力制御を遂行することができない可能性がある。そこで、前記ＵＥは、現在のベストセルから受信されなければならない情報を受信することができない。このような理由で、ＦＣＳを使用する場合、順方向チャンネルは、前記ＵＥからのＴＰＣ命令によって電力制御を実行するので、ベストセルに適合した伝送電力制御方法を使用しなければならない。本発明は、多様な実施形態を参照して順方向チャンネルの新たな伝送電力制御方法を提案する。
【００５２】
図６は、本発明の第６、第７、及び第８実施形態による高速セル選択を使用する移動通信システムでベストセルの変更のとき伝送電力オフセットを考慮した順方向伝送電力を制御するための方法を示す。
【００５３】
図６を参照すると、参照番号６０１は、以前のベストセルが伝送するＨＳ−ＤＳＣＨ信号のタイムスロットを示し、参照番号６０２は、新たなベストセルが伝送するＨＳ−ＤＳＣＨ信号のタイムスロットを示す。そして、参照番号６０３は、新たなベストセルが実行するＴＰＣ命令を示し、参照番号６０４は、ＵＥが各セルへ伝送するＴＰＣ命令を示す。また、参照番号６０６は、前記新たなベストセルがベストセルを変更させるべきことを認識したタイムスロットを示し、参照番号６０５は、前記ベストセルが変更されるタイムスロットを示す。本発明の第６実施形態は、逆方向チャンネルのみならず順方向チャンネルにも、第１実施形態乃至第３実施形態で説明した逆方向チャンネルの伝送電力制御方法を適用する。すなわち、ベストセルが変更される場合、新たなベストセルの伝送電力レベルに所定の伝送電力オフセットを与えて信号を伝送することができる。参照番号６０５は、ベストセルが新たなベストセルへ変更される時点６０７の以後、一番目のタイムスロットで適用される伝送電力オフセットを示す。ここで、前記新たなベストセルは、設定の期間または前記新たなベストセルがベストセルを変更すべきことを認識したタイムスロット６０６から前記ベストセルが変更される時点６０７までの期間（ｄｕｒａｔｉｏｎ５）６０８の間、ＴＰＣ命令を利用して前記伝送電力オフセットを決定する。
【００５４】
第７実施形態
本発明の第７実施形態は、前記ベストセルが変更されるべきことを認識した時点から前記ベストセルが変更される時点までの区間の間、伝送電力を制御するための方法を提案する。図６において、期間（ｄｕｒａｔｉｏｎ５）６０８は、前記ベストセルが変更されるべきことを認識した時点６０６から前記ベストセルが実際に変更される時点６０７までの区間を示す。前記区間６０８の場合、前記ＵＥは、以前のベストセルと新たなベストセルのすべてから正確な情報を受信しなければならない。前記ＵＥは、チャンネル状態を測定して２個のセルにデータリンク状態を分析する。そうすると、前記ＵＥは、前記２個のセルのすべてが良好なデータリンク状態を有する場合にのみ、電力減少命令を伝送する。前記以前のベストセル及び新たなベストセルのうち少なくとも１個のベストセルがよくないデータリンク状態を有する場合、前記ＵＥは、電力増加命令を伝送する。
【００５５】
第８実施形態
本発明の第８実施形態において、１個のＵＥに連結された無線リンクを有する複数のセルのうち、２個以上のセルが１個のＮｏｄｅ Ｂに属している場合、前記複数のセルは、１個の無線リンクセットを構成する。このような場合、１個の無線リンクセットを構成する各セルが同一の情報を伝送するので、前記ＵＥは、１個のベストセルの無線リンク状態を考慮して伝送電力制御を遂行するよりは、前記無線リンクセットに含まれたすべてのセルの無線リンク状態を考慮して伝送電力制御を遂行する。すなわち、前記無線リンクセットが設定されている場合、前記ＵＥは、同一なＮｏｄｅ Ｂ内の複数のセルから受信した情報をコンバインする。従って、１個のベストセルのみ考慮して伝送電力制御を遂行することより、低い伝送電力レベルで前記情報を正確に受信することが可能である。従って、本発明の第８実施形態による伝送電力制御方法は、全体システムに発生することができる雑音の悪影響を減少させる。
【００５６】
本発明の第１実施形態乃至第８実施形態による伝送電力制御方法を説明した。次に、図７を参照して、本発明の第８実施形態による伝送電力制御方法を遂行するためのＵＥの構造を説明する。
【００５７】
図７は、本発明による伝送電力制御方法を遂行するための前記ＵＥの構造を示す。図７を参照して、前記ＵＥは、受信器及び送信器に分けられ、まず、前記受信器の構造を説明する。
【００５８】
前記受信器は、Ｎｏｄｅ Ｂが空中に伝送した無線周波数（ｒａｄｉｏ ｆｒｅｑｕｅｎｃｙ；ＲＦ）信号を前記ＵＥの受信アンテナ７０１を通じて受信し、前記受信されたＲＦ信号を逆多重化器７０２へ提供する。前記逆多重化器７０２は、前記受信アンテナ７０１の出力信号を前記各チャンネル信号に逆多重化する。ここで、前記逆多重化器７０２から出力された信号は、共通パイロットチャンネル（Ｃｏｍｍｏｎ Ｐｉｌｏｔ Ｃｈａｎｎｅｌ；ＣＰＩＣＨ）信号、ＨＳ−ＤＳＣＨ信号、前記ＨＳ−ＤＳＣＨのための制御情報を伝送するチャンネル信号、例えばＳＨＣＣＨ信号及び他のチャンネル信号を含む。
【００５９】
前記逆多重化器７０２から出力された信号のうち、前記ＣＰＩＣＨ信号は、電力測定及びベストセル識別部（ｐｏｗｅｒ ｍｅａｓｕｒｅ ａｎｄ ｂｅｓｔ ｃｅｌｌ ｉｄｅｎｔｉｆｉｃａｔｉｏｎ ｐａｒｔ）７０５へ入力され、前記伝送電力測定及びベストセル検出部７０５は、前記入力されたＣＰＩＣＨ信号に基づいて、現在受信される伝送電力及び現在のベストセルの保持／ベストセルの変更情報を検出する。前記電力測定及びベストセル識別部７０５から検出した情報のうち、現在受信される伝送電力に対する情報は、ベストセルの保持またはベストセル変更情報のうち、前記現在受信された伝送電力をＵＴＲＡＮの伝送電力制御器（ｔｒａｎｓｍｉｓｓｉｏｎ ｐｏｗｅｒ ｃｏｎｔｒｏｌｌｅｒ）７０６へ出力する。前記ＵＴＲＡＮの伝送電力制御器７０６は、前記電力測定及びベストセル識別部７０５から出力された現在のベストセルの伝送電力に基づいて、本発明の第８実施形態で説明したような方法と同一の方法で伝送電力を決定し、前記決定された伝送電力値を多重化器７１１へ出力する。そして、前記電力測定及びベストセル識別部７０５から出力された現在のベストセルの保持／ベストセルの変更情報は、前記多重化器７１１へ提供される。
【００６０】
一方、前記逆多重化器７０２から出力されたＨＳ−ＤＳＣＨ信号は、スイッチ７０７へ入力され、前記ＨＳ−ＤＳＣＨ制御チャンネル信号、すなわち、前記逆多重化器７０２から出力されたＳＨＣＣＨ信号は、逆多重化器７０３へ入力される。前記逆多重化器７０３は、前記ＳＨＣＣＨ信号を逆多重化してポインター（ｐｏｉｎｔｅｒ）信号、パイロット信号、及びＴＰＣ命令信号を出力する。ここで、前記ポインター信号は、現在のタイムスロットで、前記ＵＥがＨＳ−ＤＳＣＨ指示者を受信すべきであるか否かを示すＨＳ−ＤＳＣＨ指示者（Ｈｓ−ｄｓｃｈ Ｉｎｄｉｃａｔｏｒ；ＨＩ）信号であり、前記ポインター信号は、前記スイッチ７０７へ出力される。前記ポインター信号が前記ＨＳ−ＤＳＣＨ信号を受信すべきことを示す場合、前記スイッチ７０７は、スイッチングオン（ｓｗｉｔｃｈｉｎｇ ｏｎ）して前記逆多重化器７０２から出力されるＨＳ−ＤＳＣＨ信号を変調する。
【００６１】
そして、前記逆多重化器７０３から出力されたＴＰＣ命令信号は、前記電力測定及びベストセル識別部７０５から出力された情報とともに、ＴＰＣ命令記憶装置（ＴＰＣ ｃｏｍｍａｎｄ ｍｅｍｏｒｙ）７０４へ入力され、一定期間の間前記ＵＥと無線リンクを有するＮｏｄｅ ＢからのＴＰＣ命令信号を貯蔵する。前記ＴＰＣ命令貯蔵部７０４から一定期間の間出力した前記ＴＰＣ命令信号及び前記逆多重化器７０３から出力された前記ＴＰＣ命令信号は、ＵＥの伝送電力制御器７１２へ入力される。前記ＵＥの伝送電力制御器７１２は、前記ＴＰＣ命令貯蔵部７０４から一定期間の間出力された前記ＴＰＣ命令信号及び前記逆多重化器７０３から出力された前記ＴＰＣ命令信号に基づいて、電力増幅器７１３の電力増幅率を制御する。
【００６２】
一方、前記多重化器７１１は、前記ＵＴＲＡＮの伝送電力制御器７０６から出力された前記ＴＰＣ命令信号、前記電力測定及びベストセル識別部７０５から出力されたベストセル情報（またはフィードバック情報（ＦｅｅｄＢａｃｋ Ｉｎｆｏｒｍａｔｉｏｎ；ＦＢＩ））、ＡＣＫ信号、及び伝送フォーマット組合せ表示（Ｔｒａｎｓｐｏｒｔ Ｆｏｒｍａｔ Ｃｏｍｂｉｎａｔｉｏｎ Ｉｎｄｉｃａｔｏｒ；ＴＦＣＩ）信号などを多重化し、前記多重化された信号を専用物理制御チャンネル（Ｄｅｄｉｃａｔｅｄ Ｐｈｙｓｉｃａｌ Ｃｏｎｔｒｏｌ Ｃｈａｎｎｅｌ；ＤＰＣＣＨ）信号として出力する。前記多重化器７１１から出力された前記ＤＰＣＣＨ信号は前記電力増幅器７１３へ入力され、前記電力増幅器７１３は、前記ＤＰＣＣＨ信号を前記ＵＥの伝送電力制御器７１２の制御によって増幅した後、多重化器７１４へ出力する。前記多重化器７１４は、前記電力増幅器７１３から出力されたＤＰＣＣＨ信号を専用物理データチャンネル（Ｄｅｄｉｃａｔｅｄ Ｐｈｙｓｉｃａｌ Ｄａｔａ Ｃｈａｎｎｅｌ；ＤＰＤＣＨ）信号などのような他のチャンネル信号と多重化して送信アンテナ７１５を通じてＮｏｄｅ Ｂへ伝送する。
【００６３】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００６４】
【発明の効果】
以上、述べてきたように、本発明は、ベストセルが以前のベストセルから新たなベストセルへ変更される時点で、以前のベストセルのＴＰＣの累算値に基づいた伝送電力オフセットを考慮して、前記新たなベストセルの初期伝送電力値を補償することができ、これにより、高速セル選択を利用する移動通信システムでより正確な電力制御を遂行することができる。
【図面の簡単な説明】
【図１】一般的な高速順方向パケット接続（ＨＳＤＰＡ）方式を使用する通信システムのチャンネル構造を概略的に示す図である。
【図２】本発明の第１実施形態による高速セル選択（ＦＣＳ）を使用する移動通信システムでベストセルの変更のとき伝送電力オフセットを考慮した逆方向伝送電力制御を遂行するための方法を示す図である。
【図３】本発明の第２実施形態による高速セル選択を使用する移動通信システムでベストセルの変更のとき伝送電力オフセットを考慮した逆方向伝送電力制御を遂行するための方法を示す図である。
【図４】本発明の第３実施形態による高速セル選択を使用する移動通信システムでベストセルの変更のとき伝送電力オフセットを考慮した逆方向伝送電力を制御するための方法を示す図である。
【図５】本発明の第４実施形態及び第５実施形態による高速セル選択を使用する移動通信システムでベストセルの変更のとき伝送電力オフセットを考慮した逆方向伝送電力を制御するための方法を示す図である。
【図６】本発明の第６実施形態乃至第８実施形態による高速セル選択を使用する移動通信システムでベストセルの変更のとき伝送電力オフセットを考慮した順方向伝送電力を制御するための方法を示す図である。
【図７】本発明の実施形態による伝送電力制御方法を遂行するためのＵＥの構造を示す図である。
【符号の説明】
１０１  タイムスロット
１０２  高速順方向共通チャンネル（Ｈｉｇｈ Ｓｐｅｅｄ−Ｄｏｗｎｌｉｎｋ Ｓｈａｒｅｄ Ｃｈａｎｎｅｌ；ＨＳ−ＤＳＣＨ）
１０３  制御チャンネル（ｃｏｎｔｒｏｌ ｃｈａｎｎｅｌ ｆｏｒ ＨＳ−ＤＳＣＨ）
２０１、２０２、２０５、２０６、２０９、２１０  タイムスロット
２０７  時点
２０８  区間
７０１  受信アンテナ
７０２、７０３  逆多重化器
７０４  ＴＰＣ命令貯蔵部
７０５  電力測定及びベストセル識別部（ｐｏｗｅｒ ｍｅａｓｕｒｅ ａｎｄ ｂｅｓｔ ｃｅｌｌ ｉｄｅｎｔｉｆｉｃａｔｉｏｎ ｐａｒｔ）
７０６  伝送電力制御器
７０７  スイッチ
７１１  多重化器
７１２  伝送電力制御器
７１３  電力増幅器
７１４  多重化器
７１５  送信アンテナ
【国際公開パンフレット】
2004518332.tif 000008
2004518332.tif 000009
2004518332.tif 000010
2004518332.tif 000011
2004518332.tif 000012
2004518332.tif 000013
2004518332.tif 000014
2004518332.tif 000015
2004518332.tif 000016
2004518332.tif 000017
2004518332.tif 000018
2004518332.tif 000019
2004518332.tif 000020
2004518332.tif 000021
2004518332.tif 000022
2004518332.tif 000023
2004518332.tif 000024
2004518332.tif 000025
2004518332.tif 000026
2004518332.tif 000027
2004518332.tif 000028
2004518332.tif 000029
2004518332.tif 000030
2004518332.tif 000031
2004518332.tif 000032
2004518332.tif 000033
2004518332.tif 000034
2004518332.tif 000035
2004518332.tif 000036
2004518332.tif 000037
【国際調査報告】
2004518332.tif 000038
2004518332.tif 000039